(57)【要約】【課題】移動体に搭載される移動体用放送受信装置において、放送局から送信される放送コンテンツを適切に受信できない状態でも極力高品質の放送コンテンツをユーザに提供すること。【解決手段】地上波デジタル放送の受信状態がよい場合には（Ｓ１１０：良い）その映像・音声信号にパケット単位で実際の放送時刻を示すタイムスタンプを付してＨＤＤに記憶させ（Ｓ１２０）、一方、受信状態がよくない場合には（Ｓ１１０：悪い）、電波状態がよくない部分のＨＤＤへの記憶は行わず、その部分と同一内容を示すコンテンツデータ（映像データ）をＴＶ配信サーバから取得し、その取得した映像データにパケット単位でタイムスタンプを付してＨＤＤに記憶させる（Ｓ１３０）。そして、ＨＤＤに記憶されている映像・音声信および映像データを、タイムスタンプを参照して時系列に読み出してディスプレイへ出力する（Ｓ２２０）。【選択図】図３
2005311435.tif 000002
【特許請求の範囲】
【請求項１】
移動体に搭載される移動体用放送受信装置であって、
放送局から送信された放送コンテンツを受信可能な放送コンテンツ受信手段と、
前記放送コンテンツと同一内容を示すコンテンツデータを移動体通信網から取得可能な放送コンテンツ迂回取得手段と、
前記放送コンテンツ受信手段による放送コンテンツの受信状況を検出する受信状況検出手段と、
前記放送コンテンツ受信手段によって受信された放送コンテンツおよび前記放送コンテンツ迂回取得手段によって取得されたコンテンツデータを記憶可能な記憶手段と、
前記受信状況検出手段によって検出された受信状況に基づき、前記放送コンテンツが適切に受信できる状態であれば前記放送コンテンツ受信手段によって受信された放送コンテンツを前記記憶手段に記憶させ、一方、前記放送コンテンツが適切に受信できない状態であれば、前記放送コンテンツにおける適切に受信できない部分に対応するコンテンツデータを前記放送コンテンツ迂回取得手段によって取得させて前記記憶手段に記憶させ、前記記憶手段に記憶させた放送コンテンツおよびコンテンツデータを実際の放送時刻の順にて出力手段に出力させる制御手段と、
を備えることを特徴とする移動体用放送受信装置。
【請求項２】
請求項１に記載の移動体用放送受信装置において、
前記放送コンテンツ迂回取得手段によるコンテンツデータの取得状況を検出する取得状況検出手段を備え、
前記制御手段は、前記取得状況検出手段によって検出されたコンテンツデータの取得状況に基づき前記コンテンツデータが適切に取得できない状態であればそのコンテンツデータの出力を行わないこと
を特徴とする移動体用放送受信装置。
【請求項３】
請求項１または請求項２に記載の移動体用放送受信装置において、
前記制御手段は、前記記憶手段に記憶させた放送コンテンツおよびコンテンツデータを実際の放送時刻よりも再生遅延時間経過後に前記出力手段にて出力させることを特徴とする移動体用放送受信装置。
【請求項４】
請求項３に記載の移動体用放送受信装置において、
前記制御手段は、前記再生遅延時間を状況に応じて変化させることを特徴とする移動体用放送受信装置。
【請求項５】
請求項４に記載の移動体用放送受信装置において、
前記制御手段は、前記再生遅延時間をそれまでよりも長くなるよう設定する場合には、前記記憶手段における放送コンテンツおよびコンテンツデータの記憶量を増加させることを特徴とする移動体用放送受信装置。
【請求項６】
請求項５に記載の移動体用放送受信装置において、
前記制御手段は、前記放送コンテンツ迂回取得手段を制御して前記放送局による放送コンテンツの送信速度よりも高速で前記コンテンツデータを取得させることを特徴とする移動体用放送受信装置。
【請求項７】
請求項４に記載の移動体用放送受信装置において、
前記制御手段は、前記再生遅延時間をそれまでよりも短くなるよう設定する場合には、前記記憶手段における放送コンテンツおよびコンテンツデータの記憶量を減少させることを特徴とする移動体用放送受信装置。
【請求項８】
請求項７に記載の移動体用放送受信装置において、
前記制御手段は、前記記憶手段に記憶された前記放送コンテンツおよびコンテンツデータを圧縮して前記出力手段に出力させることにより、前記記憶手段における放送コンテンツおよびコンテンツデータの記憶量を減少させることを特徴とする移動体用放送受信装置。
【請求項９】
請求項１〜請求項８の何れかに記載の移動体用放送受信装置における制御手段としてコンピュータを機能させるためのプログラム。
【発明の詳細な説明】
【技術分野】
【０００１】
本発明は、移動体に搭載される移動体用放送受信装置に関し、放送局から送信される放送コンテンツを適切に受信できない状態でも、極力高品質の放送コンテンツをユーザに提供する技術に関する。
【背景技術】
【０００２】
従来より、車両などの移動体にて地上波デジタル放送を受信可能な車載用デジタルテレビ受信機が知られている。
このような車載用デジタルテレビ受信機の中には、送信データの受信状態が一時的に悪化しても好適にデータ受信処理を実行するため、地上波デジタルテレビ放送の放送局から受信した複数階層の復調ＭＰＥＧデータのうち正常なものを選択して再生するものがある。具体的には、Ａ階層の復調ＭＰＥＧが正常に受信されたと判定したときにはＡ階層の復調ＭＰＥＧデータを出力し、一方、Ａ階層の復調ＭＰＥＧデータが異常であってＢ階層の復調ＭＰＥＧデータが正常であるときには、この正常なＢ階層の復調ＭＰＥＧデータを出力するといった具合である（例えば、特許文献１参照。）。
【特許文献１】特開２００２−３６９２５４号公報（第４，５頁、図４，５）
【発明の開示】
【発明が解決しようとする課題】
【０００３】
しかし、上述のような車載用デジタルテレビ受信機においては、例えば移動体の位置によっては受信した複数階層の復調ＭＰＥＧデータすべてが異常である場合があり、このような場合には、復調ＭＰＥＧデータの出力画面が乱れ、音声が聞こえなくなるなど出力状態が悪化するという問題があった。
【０００４】
なお、上述のような問題については、地上波デジタルテレビ放送を受信する場合には限られず、例えば、アナログ放送を受信する場合や、放送コンテンツを地上の基地局を経由して受信する場合や人工衛星を経由して受信する場合にも同様の問題が発生すると考えられる。
【０００５】
本発明は、このような不具合に鑑みなされたものであり、その目的とするところは、移動体に搭載される移動体用放送受信装置において、放送局から送信される放送コンテンツを適切に受信できない状態でも、極力高品質の放送コンテンツをユーザに提供することにある。
【課題を解決するための手段】
【０００６】
上記課題を解決するためになされた請求項１に係る移動体用放送受信装置（１：この欄においては、発明に対する理解を容易にするため、必要に応じて「発明を実施するための最良の形態」欄で用いた符号を付すが、この符号によって請求の範囲を限定することを意味するものではない。）は、移動体に搭載され、放送コンテンツ受信手段（１１）と放送コンテンツ迂回取得手段（１２，１３）とを備えている。このうち、放送コンテンツ受信手段は、放送局から送信された放送コンテンツを受信可能であり、一方、放送コンテンツ迂回取得手段は、上述の放送コンテンツと同一内容を示すコンテンツデータを移動体通信網（２０，２１，２３）から取得可能である。そして、放送コンテンツ受信手段による放送コンテンツの受信状況を受信状況検出手段（１４）によって検出し、その検出された受信状況に基づき、制御手段（１４）が次のような制御を行う。すなわち、放送コンテンツが適切に受信できる状態であれば、制御手段が、放送コンテンツ受信手段によって受信された放送コンテンツを記憶手段（１５）に記憶させる。一方、放送コンテンツが適切に受信できない状態であれば、その放送コンテンツにおける適切に受信できない部分に対応するコンテンツデータを放送コンテンツ迂回取得手段によって取得させて記憶手段に記憶させる。そして、制御手段が、その記憶手段に記憶させた放送コンテンツおよびコンテンツデータを、実際の放送時刻の順にて出力手段（１６）に出力させる。
【０００７】
このような本発明は次のような観点からなされている。すなわち、移動体での放送受信に関しては、高品質の放送コンテンツをユーザに提供する観点からは、アナログ放送よりもデジタル放送が望ましく、また、インフラ整備が進んだ今日では移動体通信網を利用して放送コンテンツと同一内容を示すコンテンツデータを取得した方が望ましい。ここで、放送局から送信される放送コンテンツの特徴としては、設置された基地局の数が少なく、各基地局における電波強度が強いため、広範囲で放送コンテンツを受信可能である一方、放送コンテンツの受信状況が基地局からの距離や地形の影響を受けやすいことが挙げられる。また、移動体通信網を介して取得可能なコンテンツデータの特徴としては、設置された基地局の数が多く、各基地局における電波強度が弱いため、例えば基地局が設置されていない場所では電波を受信できない一方、電波を受信できる場所ではコンテンツデータの受信状況が良好となることが挙げられる。よって、上述のような放送局から送信される放送コンテンツの特徴、および移動体通信網を介して取得可能なコンテンツデータを考慮すると、移動体用の受信装置では、放送コンテンツの安定した受信を主眼とするならば、放送局から送信された放送コンテンツを受信するとともに、移動体通信網を利用して様々な情報を送受信することを利用して上述の放送コンテンツを補完すれば、ユーザへのサービス提供の観点からは好ましい。そこで、本発明では、上述のような理由に加え、現状では移動体通信網を利用してコンテンツデータを取得するには通信コストが発生する点も考慮し、次のように構成した。すなわち、本発明では、通常は放送局からの放送コンテンツを受信し、受信状態がよくない場合には移動体通信網を利用して放送局からの放送コンテンツにおける受信状態がよくない部分を補完的に取得するよう構成した。これによって、移動体での放送受信に関して、極力高品質の放送コンテンツをユーザに提供することができる。
【０００８】
なお、放送コンテンツの受信状況としては、例えば地上波デジタル放送による受信データを復調したときのビットエラー率や受信電界レベル（信号強度：ＲＳＳＩ）などが考えられ、これらに基づいて放送コンテンツが適切に受信できる状態であるか否かを判定することができる。なお、その判定の基準値については、受信した放送コンテンツがユーザにとって見やすく且つ聞きやすい状態であるよう設定することが考えられる。
【０００９】
なお、放送コンテンツ受信手段によって受信される放送コンテンツについては、アナログ放送による放送コンテンツやデジタル放送による放送コンテンツが考えられる。また、放送コンテンツ受信手段については、放送局から送信された放送コンテンツを地上の基地局を経由して受信してもよい。具体的には、地上波アナログ放送や地上波デジタル放送などである。また、放送コンテンツ受信手段については、放送局から送信された放送コンテンツを、人工衛星を経由して受信してもよい。具体的には、ＢＳ（broadcast satellite）アナログ放送やＢＳデジタル放送、ＣＳ（communications satellite）デジタル放送などである。
【００１０】
ところで、上述のように放送コンテンツが適切に受信できない状態であるために放送コンテンツ迂回取得手段によってコンテンツデータを移動体通信網から取得する場合において、放送コンテンツ迂回取得手段によってコンテンツデータを取得できないことがある。このような場合には、適切に受信できない状態ではあるが放送コンテンツ受信手段によって受信した放送コンテンツを出力手段から出力することが考えられるが、このことにより低品質の放送コンテンツをユーザに提供することになる。そこで、請求項２のように、放送コンテンツ迂回取得手段によってコンテンツデータが適切に取得できない状態である場合には、制御手段が、そのコンテンツデータの出力を行わないことが考えられる。一例を挙げると、放送コンテンツ迂回取得手段によってコンテンツデータを取得できなかった場合や、コンテンツデータが取得できたがその取得状態がよくなく低品質である場合などである。このようにすれば、低品質の放送コンテンツをユーザに提供することを防ぐことができる。
【００１１】
また、同じく放送コンテンツが適切に受信できない状態であるために放送コンテンツ迂回取得手段によってコンテンツデータを移動体通信網から取得する場合において、移動体通信網のサーバなどの反応が遅く、コンテンツデータの取得に時間を要することがある。このようなときには、既に記憶手段に記憶された出力待ちの放送コンテンツやコンテンツデータを出力する一方で新たなコンテンツデータが取得できないため、記憶手段が記憶する放送コンテンツやコンテンツデータの記憶量が減少して出力を継続できなくなるおそれがある。そこで、出力待ちの放送コンテンツやコンテンツデータを、実際の放送時刻から予め遅らせて出力することが考えられる。具体的には、請求項３のように、制御手段が、上述のように記憶手段に記憶させた放送コンテンツおよびコンテンツデータを、実際の放送時刻よりも再生遅延時間経過後に出力手段にて出力させることが考えられる。なお、上述の再生遅延時間については、ユーザが設定するようにしてもよいし、放送コンテンツ迂回取得手段によって放送コンテンツを取得するまでに要する時間を考慮して設定してもよい。このようにすれば、放送コンテンツ迂回取得手段によるコンテンツデータの取得が遅れても、少なくとも再生遅延時間の間は放送コンテンツおよびコンテンツデータの出力を継続することができる。
【００１２】
なお、放送コンテンツ迂回取得手段によってコンテンツデータを取得するまでに要する時間については、移動体通信網へのアクセス状況や周囲環境、時間帯などによって変化すると考えられる。そこで、制御手段が、上述の再生遅延時間を状況に応じて変化させることが考えられる（請求項４）。一例を挙げると、過去における移動体通信網からの応答時間を考慮して、再生遅延時間の長さを定期的に見直すといった具合である。このように再生遅延時間を調整すれば、例えば応答時間に対して再生遅延時間が必要以上に長いことや、応答時間に対して再生遅延時間が短いことに起因して放送コンテンツおよびコンテンツデータの出力が中断すること、を防ぐことができる。
【００１３】
なお、上述のように再生遅延時間を長くするためには、請求項５のように、制御手段が、記憶手段における放送コンテンツの記憶量を増加させることが考えられる。具体的には、制御手段が、地上波デジタル放送の出力を中止し、放送コンテンツ迂回取得手段を制御して放送コンテンツを取得させることが考えられる。なお、記憶手段によって記憶された放送コンテンツおよびコンテンツデータの出力を継続しながら、記憶手段における放送コンテンツおよびコンテンツデータの記憶量を増加させる場合には、制御手段が、放送コンテンツ迂回取得手段を制御して放送局による放送コンテンツの送信速度よりも高速でコンテンツデータを取得させる必要がある（請求項６）。
【００１４】
一方、上述の再生遅延時間を短くする場合には、請求項７のように、制御手段が、記憶手段における放送コンテンツおよびコンテンツデータの記憶量を減少させることが考えられる。一例を挙げると、制御手段が、例えば記憶手段に記憶された放送コンテンツおよびコンテンツデータを圧縮して放送局による放送コンテンツの送信速度よりも高速で出力手段に出力させるといった具合である（請求項８）。
【００１５】
なお、請求項９に示すように、請求項１〜請求項８の何れかに記載の移動体用放送受信装置における制御手段は、コンピュータを機能させるプログラムとして実現できる。したがって、本発明は、プログラムの発明として実現できる。また、このようなプログラムの場合、例えば、ＦＤ、ＭＯ、ＤＶＤ−ＲＯＭ、ＣＤ−ＲＯＭ、ハードディスク等のコンピュータ読み取り可能な記録媒体に記録し、必要に応じてコンピュータにロードして起動することにより用いることができる。この他、ＲＯＭやバックアップＲＡＭをコンピュータ読み取り可能な記録媒体として本プログラムを記録しておき、ＲＯＭあるいはバックアップＲＡＭをコンピュータに組み込んで用いても良い。
【発明を実施するための最良の形態】
【００１６】
以下、本発明が適用された実施例について図面を用いて説明する。なお、本発明の実施の形態は、下記の実施例に何ら限定されることなく、本発明の技術的範囲に属する限り種々の形態を採りうる。
【００１７】
図１は、実施例の移動体用放送受信装置１の概略構成図である。また、図２は、地上波デジタルテレビ放送における信号レベルと受信品位と関係を示す説明図等であり、図３（ｃ）は、ＨＤＤの記憶内容を説明する説明図である。
【００１８】
［移動体用放送受信装置１の構成の説明］
移動体用放送受信装置１は、図１に示すように、例えば車両等の移動体に搭載され、地上波デジタルテレビ放送を受信するための装置であり、地上波信号受信機１１、無線通信装置１２、インターネット通信部１３、制御装置１４、ＨＤＤ１５、ディスプレイ１６と、選局制御部１７と、選局操作受付部１８と、を備えている。
【００１９】
ここで、上述の「地上波デジタル放送」について説明する。移動体用放送受信装置１が受信するデジタル放送は地上波デジタルテレビ放送であり、図２（ｂ）に示すように、テレビ塔などの送信所から地上波デジタルテレビ放送波が放送されることで固定向け放送と移動体向け放送がなされる。具体的には、固定向けの地上波デジタルテレビ放送は、ＭＰＥＧ２規格によって圧縮された高ビットレートのため相対的に鮮明画像を提供でき、一方、移動体向けの地上波デジタルテレビ放送は、ＭＰＥＧ４規格によって圧縮された低ビットレートのため移動体での受信に適している。これら固定向け放送の受信と移動体向け放送の受信における差異を、信号レベルと映像・音声の受信品位との関係で示したものが図２（ａ）である。なお、以下の説明では、固定向けの地上波デジタルテレビ放送、移動体向けの地上波デジタルテレビ放送を、それぞれ単に「固定向け放送」、「移動体向け放送」と称すこともある。
【００２０】
図２（ａ）に示すように、移動体向け放送を受信する場合は、固定向け放送を受信する場合と異なり、低ビットレートで送信されているため解像度の問題により映像・音声の品質は悪くなるが、信号レベルが低くなっても（つまり受信電波が弱くなっても）、受信することができるため、車両等の移動体に搭載された受信装置での受信に向いていると言える。しかしながら、本移動体用放送受信装置１が例えば車両等の移動体に搭載されて用いられるといっても、常に移動体向けのデジタル放送しか受信できないというわけではない。例えば、停車時や低速走行時には固定向けのデジタル放送を受信可能な場合も想定される。さらに言えば、低速走行とは言えない走行状態であっても、周囲環境によっては受信可能となることも考えられる。そこで、受信可能なのであれば相対的に高品位の固定向け放送を受信し、受信不可能になれば移動体向け放送を受信するとよい。
【００２１】
［地上波信号受信機１１の構成の説明］
地上波信号受信機１１は、固定向けの地上波デジタル放送および移動体向けの地上波デジタル放送を受信するための機器であり、図示しないアンテナから放送信号を受信するためのフロントエンド、復調部、デコーダ等（いずれも図示せず）を備えている。また、地上波信号受信機１１へ入力する時点での放送波中には、サイマル放送の場合、同じチャンネル内に固定向け放送信号と移動体向け放送信号を含まれているが、これらフロントエンド、復調部、デコーダが、移動体向け放送の受信・復調・デコードを行うよう構成されている。
【００２２】
ここで、フロントエンドは、選局制御部１７からの選局制御信号に基づいて所定のチャンネル周波数に同調し、中間周波数に変換・増幅する。また、このフロントエンドは中間周波数の信号レベルに基づいてＴＶ放送信号のレベル変化（受信電界強度）を検出する機能も備えており、受信電界強度の検出結果を示す信号を信号強度情報（ＲＳＳＩ）として制御装置１４へ出力する。また、復調部は、ＴＶ放送信号の復調、復号処理部であり、放送信号と同期を取りながら放送信号を復調し、誤り検出及び訂正を行った後、復号したトランスポートストリーム（Transport Streem:ＴＳ)をデコーダへ出力する。なお、復調部については、誤り訂正前後のビットエラー率（ＢＥＲ）を検出し、その検出したビットエラー率を示す情報を制御装置１４へ出力するようにしてもよい。また、デコーダは、ＴＳを映像・音声信号に変換する処理部であり、また、有料放送などの暗号化されたＴＳ信号を、解読暗号鍵を基に解読する部分でもある。このように地上波信号受信機１１にて変換された映像・音声信号（放送コンテンツ）は、制御装置１４へ出力される。
【００２３】
なお、地上波信号受信機１１は放送コンテンツ受信手段に該当する。
［無線通信装置１２およびインターネット通信部１３の構成の説明］
無線通信装置１２は、基地局２０およびインターネット２１を介してＴＶ配信サーバ２３と通信可能に構成されている。なお、この無線通信装置１２が基地局２０との間で通信を行う際の周波数帯としては、携帯電話などの移動体通信に利用される周波数帯（例えば８００ＭＨｚ帯、１．５ＧＨｚ帯）が挙げられる。
【００２４】
また、インターネット通信部１３は、無線通信装置１２を介してＴＶ配信サーバ２３に対して映像データを要求する旨の情報を送信したりＴＶ配信サーバ２３から送信された映像データを取得したりする機能を有している。ここで、映像データの具体例としては、地上波デジタル放送の放送コンテンツと同一内容を示すコンテンツデータなどが挙げられる。さらに、インターネット通信部１３は、上述のように取得した映像データを制御装置１４へ出力する機能を有する。なお、無線通信装置１２およびインターネット通信部１３は放送コンテンツ迂回取得手段に該当する。
【００２５】
［ＨＤＤ１５の構成の説明］
ＨＤＤ１５は、不揮発性メモリで構成され、上述の映像・音声信号および映像データを記憶するのに利用される。ここで、ＨＤＤ１５に記憶された映像・音声信号および映像データについては、図３（ｃ）に例示するように、パケット単位で細分化された複数のデータで構成されている。なお、図３（ｃ）中の「地上波」とは、地上波信号受信機１１にて受信した地上波デジタル放送の映像・音声信号を構成するデータを示し、「サーバ」とは、インターネット通信部１３にて取得した映像データを示している。また、各信号・データには、実際の放送時刻を示すタイムスタンプが付されており、これらタイムスタンプに基づいて上述の信号・データを時系列に並べれば、元の放送コンテンツを再現することができる。なお、ＨＤＤ１５は記憶手段に該当する。
【００２６】
［ディスプレイ１６の構成の説明］
ディスプレイ１６は、映像信号および映像データを表示するための表示部や映像・音声信号および映像データに含まれる音声を再生するためのスピーカ、及び表示制御や音声出力制御を司る機構を有しており、制御装置１４から入力した映像・音声信号および映像データを表示部に表示したりスピーカから出力したりする。なお、ディスプレイ１６は出力手段に該当する。
【００２７】
［選局制御部１７および選局操作受付部１８の構成の説明］
選局制御部１７は、地上波信号受信機１１内のフロントエンドに対して選局制御信号を出力することで選局制御を行う。この選局制御は、選局操作受付部１８によって受け付けたユーザからの操作に基づいて行うこともできるし、制御装置１４から得た判定結果に基づいて行うこともできるよう構成されている。ユーザからの操作に基づいて行う場合には、ユーザが選局操作受付部１８を操作することにより受信すべき放送局を指定すると、選局制御部１７が、その指令に基づき、その放送局の放送信号を選局させるための選局制御信号を、地上波信号受信機１１内のフロントエンドに対して出力する。フロントエンドでは、その選局制御信号に従い、指定された放送信号を選局する。
【００２８】
［制御装置１４の構成の説明］
制御装置１４は、ＣＰＵ，ＲＯＭ，ＲＡＭ，Ｉ／Ｏ及びこれらの構成を接続するバスラインなどからなる周知のマイクロコンピュータを中心に構成されており、ＲＯＭ及びＲＡＭに記憶されたプログラムに基づいて、選局制御部１７を制御することにより、上述の選曲制御を実行する機能を有している。また、制御装置１４は、地上波信号受信機１１から得られる受信強度信号に基づき受信状況を判定する機能を有する。なお、その判定の基準値については、受信した地上波デジタル放送がユーザにとって見やすく且つ聞きやすい状態であるよう設定されている。また、受信強度信号の代わりにＢＥＲ等の受信状況データに基づいて、移動向け放送の受信が可能かどうかを判定してもよい。さらに、制御装置１４は、その判定した受信状況に基づき、地上波デジタル放送が適切に受信できる状態であれば地上波信号受信機１１にて受信した映像・音声信号をパケット単位で実際の放送時刻を示すタイムスタンプを付してＨＤＤ１５に記憶させ、一方、地上波デジタル放送が適切に受信できない状態であれば映像データを無線通信装置１２およびインターネット通信部１３を制御してＴＶ配信サーバ２３から取得させ、その取得した映像データをパケット単位でタイムスタンプを付してＨＤＤ１５に記憶させる機能を有する。なお、この機能は後述する映像データ保存処理に該当する。また、制御装置１４は、図３（ｃ）に例示するように、ＨＤＤ１５に記憶された映像・音声信号および映像データを、再生遅延時間Ｔ遅らせてディスプレイ１６に出力して映像を表示させたり音声を再生させたりする機能を有する。ここで、再生遅延時間Ｔについては、本実施例では１０秒に設定されている。なお、この機能は後述する映像データ出力処理に該当する。
【００２９】
なお、制御装置１４は受信状況検出手段および制御手段に該当する。
［ＴＶ配信サーバ２３の構成の説明］
ところで、図１に示すＴＶ配信サーバ２３は、ＣＰＵ，ＲＯＭ，ＲＡＭ，Ｉ／Ｏ及びこれらの構成を接続するバスラインなどからなる周知のマイクロコンピュータなどを中心に構成されている。このＴＶ配信サーバ２３は、例えば地上波デジタル放送の放送コンテンツと同一内容を示すコンテンツデータなどの映像データを記憶する。また、ＴＶ配信サーバ２３は、インターネット２１および基地局２０とともに移動体通信網を構成し、これらインターネット２１および基地局２０を介して移動体用放送受信装置１の無線通信装置１２との間で通信する機能を有している。さらに、ＴＶ配信サーバ２３は、移動体用放送受信装置１からの要求に対して、上述の映像データをパケット単位で移動体用放送受信装置１へ送信する機能を有している。
【００３０】
［映像データ保存処理の説明］
次に、移動体用放送受信装置１の制御装置１４が実行する映像データ保存処理を図３(ａ)のフローチャートを参照して説明する。
【００３１】
本処理は、図示しないアクセサリ電源がオンとなり移動体用放送受信装置１に電源供給された場合に、選択された放送局の放送コンテンツについて実行される。
まず、最初のステップＳ１１０では、地上波デジタル放送が受信可能かどうかを判断する。具体的には、地上波信号受信機１１から得られる受信強度信号（ＲＳＳＩ）やＢＥＲ等の受信状況データに基づいて、移動向け放送の電波状態が良いか否かを判定する。
【００３２】
ここで、電波状態がよい場合には（Ｓ１１０：良い）、地上波信号受信機１１を制御して地上波デジタル放送の放送コンテンツ（映像・音声信号）を受信し、その受信した映像・音声信号を、パケット単位で実際の放送時刻を示すタイムスタンプを付してＨＤＤ１５に記憶させる（Ｓ１２０）。そして、Ｓ１１０に戻ってＳ１１０以下の処理を繰り返す。
【００３３】
一方、電波状態がよくない場合には（Ｓ１１０：悪い）、受信した放送コンテンツ（映像・音声信号）における電波状態がよくない部分のＨＤＤ１５への記憶は行わず、その部分と同一内容を示すコンテンツデータ（映像データ）を、インターネット通信部１３を制御することにより無線通信装置１２、基地局２０およびインターネットを介してＴＶ配信サーバ２３に要求する。そして、ＴＶ配信サーバ２３から送信された映像データを取得し、その取得した映像データを、パケット単位で実際の放送時刻を示すタイムスタンプを付してＨＤＤ１５に記憶させる（Ｓ１３０）。そして、Ｓ１１０に戻ってＳ１１０以下の処理を繰り返す。
【００３４】
［映像データ出力処理の説明］
次に、移動体用放送受信装置１の制御装置１４が実行する映像データ出力処理を図３(ｂ)のフローチャートを参照して説明する。
【００３５】
本処理は、図示しないアクセサリ電源がオンとなり移動体用放送受信装置１に電源供給された場合に、選択された放送局の放送コンテンツについて上述の映像データ保存処理からは独立して実行される。
【００３６】
まず、最初のステップＳ２１０では、選局制御部１７からの選局制御信号に基づいて選択された放送局の放送コンテンツ（映像・音声信号および映像データ）がＨＤＤ１５に記憶されているか否かを判断する。ここで記憶されている場合には（Ｓ２１０：有）、その映像・音声信号および映像データを、各データに付されたタイムスタンプを参照してＨＤＤ１５から時系列に読み出し、その読み出した映像・音声信号および映像データを実際の放送時刻から再生遅延時間Ｔ遅らせて順にディスプレイ１６へ出力する（Ｓ２２０）。このときディスプレイ１６においては、制御装置１４から入力した映像・音声信号および映像データを表示部に表示したりスピーカから出力したりする。そして、Ｓ２１０に戻ってＳ２１０以下の処理を繰り返す。
【００３７】
一方、記憶されていない場合には（Ｓ２１０：無）、ディスプレイ１６への出力を中断する（Ｓ２３０）。このときディスプレイ１６においては、制御装置１４からの映像・音声信号および映像データが入力されなくなるため、表示部への表示やスピーカからの出力が行われなくなる。そして、Ｓ２１０に戻ってＳ２１０以下の処理を繰り返す。
【００３８】
［効果］
このように実施例の移動体用放送受信装置１によれば、次のような作用効果を奏する。すなわち、地上波デジタル放送の受信状態がよい場合には（Ｓ１１０：良い）その映像・音声信号にパケット単位で実際の放送時刻を示すタイムスタンプを付してＨＤＤ１５に記憶させ（Ｓ１２０）、一方、地上波デジタル放送の受信状態がよくない場合には（Ｓ１１０：悪い）、受信した放送コンテンツ（映像・音声信号）における電波状態がよくない部分のＨＤＤ１５への記憶は行わず、その部分と同一内容を示すコンテンツデータ（映像データ）を、ＴＶ配信サーバ２３から取得し、その取得した映像データにパケット単位で実際の放送時刻を示すタイムスタンプを付してＨＤＤ１５に記憶させる（Ｓ１３０）。そして、ＨＤＤ１５に記憶されている映像・音声信および映像データを、タイムスタンプを参照して時系列に読み出してディスプレイ１６へ出力する（Ｓ２２０）。このように、通常は地上波デジタル放送を受信し、受信状態がよくない場合には移動体通信網を利用して地上波デジタル放送における受信状態がよくない部分を補完的に取得するようにしたので、移動体でのデジタル放送受信に関して、極力高品質の放送コンテンツをユーザに提供することができる。
【００３９】
また、実施例の移動体用放送受信装置１によれば、制御装置１４が、ＨＤＤ１５に記憶された放送コンテンツを、再生遅延時間Ｔ遅らせてディスプレイ１６に出力して映像を表示させたり音声を再生させたりするので、ＴＶ配信サーバ２３からの放送コンテンツの取得が遅れても、少なくとも再生遅延時間Ｔの間は放送コンテンツの出力を継続することができる。
【００４０】
［別実施例］
（１）上記実施例の地上波信号受信機１１については、移動体向け放送の受信・復調・デコードを行うよう構成されているが、これには限られず、例えば固定向け放送の受信・復調・デコードを行うようにしてもよいし、移動体向け放送の受信・復調・デコードおよび固定向け放送の受信・復調・デコードを行って受信状態がよい方を選択するよう構成してもよい。
【００４１】
また、上記実施例の移動体用放送受信装置においては、通常は地上波デジタル放送を受信し、受信状態がよくない場合には移動体通信網を利用して地上波デジタル放送における受信状態がよくない部分を補完的に取得するよう構成されているが、これには限られず、地上波デジタル放送を受信する代わりに、地上波アナログ放送や、ＢＳアナログ放送、ＢＳデジタル放送、ＣＳデジタル放送などを受信し、受信状態がよくない場合には移動体通信網を利用してこれら放送における受信状態がよくない部分を補完的に取得するよう構成してもよい。
【００４２】
（２）上記実施例の無線通信装置１２については、携帯電話などの移動体通信に利用される周波数帯を用いて基地局２０と各種情報を送受信可能に構成されているが、これには限られず、例えば無線ＬＡＮなどで利用される周波数帯（例えば２．４ＧＨｚ帯、５ＧＨｚ帯）を利用してもよい。
【００４３】
（３）また、上記実施例の映像データ保存処理および映像データ出力処理において、地上波デジタル放送の放送コンテンツの受信状態がよくない場合には（Ｓ１１０：悪い）、制御装置１４が、受信した放送コンテンツ（映像・音声信号）における電波状態がよくない部分のＨＤＤ１５への記憶は行わず、その部分と同一内容を示すコンテンツデータ（映像データ）を、ＴＶ配信サーバ２３から取得し、その取得した映像データにパケット単位で実際の放送時刻を示すタイムスタンプを付してＨＤＤ１５に記憶させているが、これには限られず、上述のように映像・音声信号をＨＤＤ１５へ保存するとともに、ＨＤＤ１５が記憶する映像・音声信号および映像データのディスプレイ１６への出力を中断するようにしてもよい。このようにすれば、低品質の放送コンテンツをユーザに提供することを防ぐことができる。
【００４４】
（４）上記実施例では、再生遅延時間Ｔが１０秒に設定されているが、これには限られず、ユーザが設定するようにしてもよい。また、無線通信装置１２およびインターネット通信部１３がＴＶ配信サーバ２３から映像データを取得するのに要する時間を考慮して設定してもよい。このように構成しても上記実施例と同様の作用効果を奏する。
【００４５】
（５）また、再生遅延時間Ｔを状況に応じて変化させるようにしてもよい。一例を挙げると、例えば過去におけるＴＶ配信サーバ２３からの映像データの取得時間を考慮して、再生遅延時間Ｔの長さを定期的に見直すといった具合である。このようにすれば、ＴＶ配信サーバ２３から放送コンテンツを取得するのに要する時間が変化しても、例えば取得時間に対して再生遅延時間Ｔが必要以上に長いことや、取得時間に対して再生遅延時間Ｔが短いことに起因して放送コンテンツの出力が中断すること、を防ぐことができる。
【００４６】
（５−１）再生遅延時間Ｔを長くするためには、次のような手法を用いることが考えられる。すなわち、制御装置１４が、ＨＤＤ１５に記憶させる放送コンテンツの記憶量を増加させることが考えられる。具体的には、制御装置１４が、ディスプレイ１６への映像・音声信号および映像データの出力を中止し、インターネット通信部１３を制御して映像データをＴＶ配信サーバ２３から取得する。なお、ディスプレイ１６への映像・音声信号および映像データの出力を継続しながらＨＤＤ１５に記憶させる映像・音声信号および映像データの記憶量を増加させる場合は、インターネット通信部１３による映像データの取得を地上波デジタル放送よりも高速に行えばよい。
【００４７】
（５−２）再生遅延時間Ｔを短くするためには、次のような手法を用いることが考えられる。すなわち、制御装置１４が、ＨＤＤ１５に記憶させる映像・音声信号および映像データの記憶量を減少させることが考えられる。具体的には、制御装置１４が、ＨＤＤ１５に記憶させた映像・音声信号および映像データを圧縮して地上波デジタル放送よりも高速にてディスプレイ１６へ出力すればよい。
【００４８】
（６）また、ＴＶ配信サーバ２３からの映像データの取得が例えば再生遅延時間Ｔ以上中断した場合や、ＴＶ配信サーバ２３からの映像データの取得状況がよくない場合には、ユーザからの指示により、地上波信号受信機１１にて地上波デジタル放送の放送コンテンツ（映像・音声信号）を受信してＨＤＤ１５への記憶およびディスプレイ１６への出力を行うようにしてもよいし、ディスプレイ１６への映像・音声信号および映像データの出力を中断してもよい。また、また、地上波信号受信機１１にて地上波デジタル放送の放送コンテンツ（映像・音声信号）を受信してＨＤＤ１５へ記憶させながらディスプレイ１６への映像・音声信号および映像データの出力を中断し、ＴＶ配信サーバ２３からの映像データの取得が再開した際にディスプレイ１６への映像・音声信号および映像データの出力を再開するようにしてもよい。このようにすれば、低品質の放送コンテンツをユーザに提供することを防ぐことができる。
【００４９】
（７）また、選曲制御により受信するチャンネルが変更された場合には、変更後のチャンネルによって提供される放送コンテンツがＨＤＤ１５に蓄積されていないことがある。そこで、制御装置１４が、地上波信号受信機１１を制御して地上波デジタル放送の放送コンテンツ（映像・音声信号）を受信し、その受信した映像・音声信号を、ディスプレイ１６へ出力するようにしてもよい。なおこの場合、地上波デジタル放送の電波状態が悪いときには、制御装置１４が、受信した放送コンテンツ（映像・音声信号）における電波状態がよくない部分と同一内容を示すコンテンツデータ（映像データ）をＴＶ配信サーバ２３から取得してＨＤＤ１５に記憶させ、その記憶量が再生遅延時間Ｔ分に達するまでディスプレイ１６への出力を中断するようにしてもよい。このようにすれば、低品質の放送コンテンツをユーザに提供することを防ぐことができる。
【図面の簡単な説明】
【００５０】
【図１】実施例の移動体用放送受信装置の概略構成図である。
【図２】地上波デジタルテレビ放送における信号レベルと受信品位と関係を示す説明図等である。
【図３】(ａ)は、実施例の移動体用放送受信装置の制御装置が実行する映像データ保存処理を示す説明図であり、（ｂ）は、実施例の移動体用放送受信装置の制御装置が実行する映像データ出力処理を示す説明図であり、（ｃ）は、ＨＤＤの記憶内容を説明する説明図である。
【符号の説明】
【００５１】
１…移動体用放送受信装置、１１…地上波信号受信機、１２…無線通信装置、１３…インターネット通信部、１４…制御装置、１５…ＨＤＤ、１６…ディスプレイ、１７…選局制御部、１８…選局操作受付部、２０…基地局、２１…インターネット、２３…ＴＶ配信サーバ
【図１】
2005311435.tif 000003
【図３】
2005311435.tif 000004
【図２】
2005311435.tif 000005